(57)【要約】【課題】巻上機の移動を、より容易、円滑かつ短時間で実行でき、巻上機の芯出しも、容易かつ円滑に実行できる巻上機装置及び巻上機台を提供すること。【解決手段】巻上機装置１が、エレベーターのロープが巻回される綱車１２、及び綱車１２を回動させる電動機１７を含み、下方側に開口すると共に高さ方向に延在するキャスター収納部を有する本体部２と、Ｚ方向の下方側部分が本体部２よりもＺ方向の下方側に突出する突出位置と、全ての部分が上記キャスター収納部に収納される収納位置との間をＺ方向に移動可能なキャスター３と、キャスター３を前記突出位置と前記収納位置との間をＺ方向に移動させる移動機構４と、を備えるようにする。【選択図】図２
2019001563.tif 000002
【特許請求の範囲】
【請求項１】
エレベーターのロープが巻回される綱車、及び前記綱車を回動させる電動機を含み、下方側に開口すると共に高さ方向に延在するキャスター収納部を有する本体部と、
少なくとも前記高さ方向の下方側部分が前記本体部よりも前記高さ方向の下方側に突出する突出位置と、全ての部分が前記キャスター収納部に収納される収納位置との間を前記高さ方向に移動可能なキャスターと、
前記キャスターを前記突出位置と前記収納位置との間を前記高さ方向に移動させるキャスター移動機構と、
を備える巻上機装置。
【請求項２】
請求項１に記載の巻上機装置において、
前記本体部には、前記綱車及び前記電動機を含む巻上機と、前記巻上機が載置され、前記巻上機と機械台との間に配置される巻上機台とが含まれ、
前記キャスター収納部は、前記巻上機台に設けられる、巻上機装置。
【請求項３】
請求項１に記載の巻上機装置において、
前記本体部は、前記綱車及び前記電動機を含む巻上機で構成され、
前記巻上機は、巻上機台を介さず機械台に載置され、
前記キャスター収納部は、前記巻上機に設けられる、巻上機装置。
【請求項４】
請求項１乃至３のいずれか１つに記載の巻上機装置において、
前記キャスター移動機構が、
前記キャスターが回動自在に取り付けられるキャスター取付部と、
前記キャスター取付部の上端部と一体化された先端部を含んで前記高さ方向に延在するボルト及び前記本体部に固定されて前記ボルトに螺合するナットを含むジャッキボルトと、
を有する巻上機装置。
【請求項５】
請求項１乃至４のいずれか１つに記載の巻上機装置において、
前記キャスターが、球形状を有し、
前記キャスターは、キャスター取付部に回動自在に取り付けられ、
前記キャスター取付部には、前記キャスターの直径よりも小さい直径を有する円形の開口を有する下側板部と、球面の一部で構成されて前記キャスターの上側球面部にその径方向に対向する対向面を有し、前記下側板部に固定される上側ブロック部と、前記対向面と前記上側球面部との間に配設される複数の玉と、が含まれる、巻上機装置。
【請求項６】
エレベーターにおいて巻上機が載置される巻上機台であって、
下方側に開口すると共に高さ方向に延在するキャスター収納部を有する機台本体と、
少なくとも前記高さ方向の下方側部分が前記機台本体よりも前記高さ方向の下方側に突出する突出位置と、全ての部分が前記キャスター収納部に収納される収納位置との間を前記高さ方向に移動可能なキャスターと、
前記キャスターを前記突出位置と前記収納位置との間を前記高さ方向に移動させるキャスター移動機構と、
を備える巻上機台。
【発明の詳細な説明】
【技術分野】
【０００１】
本発明は、エレベーターにおいて、巻上機と、巻上機台を含む巻上機装置に関する。また、本発明は、巻上機台に関する。
【背景技術】
【０００２】
特許文献１に記載されているように、機械室を有するエレベーターでは、通常、巻上機が巻上機台の上面に固定され、巻上機台が機械室の床面上に配設される機械台（マシンビーム）上に固定される。巻上機台は、例えば水平度の精度がより高い水平面上に巻上機を載置するために設けられる。
【先行技術文献】
【特許文献】
【０００３】
【特許文献１】国際公開２０１３−１７９４２３号
【発明の概要】
【発明が解決しようとする課題】
【０００４】
エレベーターが昇降路の上部に機械室を有する場合、巻上機は、例えば次のように機械室まで運ばれ、芯出しされる。詳しくは、先ず、巻上機を、クレーンで現場のビルの屋上まで上げる。次に、巻上機を屋上から機械室に搬入する。屋上から機械室への巻上機の搬入経路には、１以上の段差が存在する。
【０００５】
巻上機を段差の下方側に移動させるには、巻上機を台車に乗せて台車を横引きし、巻上機が載っている台車を段差の上側周辺に移動させる。そして、チェーンブロック等で巻上機を、段差の下側箇所の直上に吊り上げ、その後、台車を巻上機の下方に移動させ、続いて、チェーンブロックで巻上機を下降させ、段差の下側箇所に移動させた台車上に載置する。
【０００６】
この作業は、段差が存在する度に繰り返される。巻上機を機械室まで運搬すると、巻上機を載置している台車を、巻上機の設定場所の周辺まで横引きし移動させる。その後、巻上機を、チェーンブロックで吊り上げた後に下降させ、所定位置の極近傍に配置する。
【０００７】
巻上機は、ワイヤーロープが鉛直方向に対して傾斜した状態にならないようにミリ単位の位置合わせで高精度に所定位置に配置されて芯出しされる。ミリ単位の位置合わせは、例えば熟練した作業員が巻上機に局所的な衝撃を付与することで巻上機を微小移動させて実行する。
【０００８】
上記巻上機は、倉庫から機械室の所定位置まで常に台車と供に移動させる必要があり、巻上機が障害物の乗り越えのために吊り上げられる度に、台車を先回りして移動させる必要がある。よって、巻上機の移動に大変な工数と労力が必要になる。
【０００９】
また、巻上機の重心が台車の重心に対して大きく離れた状態で巻上機が台車に載置されると、台車が傾く虞があり、台車位置を相応しい位置に調整するのに時間を要する。
【００１０】
更には、巻上機の芯出しも、局所的な衝撃を付与せずに簡単かつ円滑に実行できれば好ましい。
【００１１】
そこで、本発明の課題は、巻上機の移動を、より容易、円滑かつ短時間で実行でき、巻上機の芯出しも、容易かつ円滑に実行できる巻上機装置及び巻上機台を提供することにある。
【課題を解決するための手段】
【００１２】
上記課題を解決するため、本発明に係る巻上機装置は、エレベーターのロープが巻回される綱車、及び前記綱車を回動させる電動機を含み、下方側に開口すると共に高さ方向に延在するキャスター収納部を有する本体部と、少なくとも前記高さ方向の下方側部分が前記本体部よりも前記高さ方向の下方側に突出する突出位置と、全ての部分が前記キャスター収納部に収納される収納位置との間を前記高さ方向に移動可能なキャスターと、前記キャスターを前記突出位置と前記収納位置との間を前記高さ方向に移動させるキャスター移動機構と、を備える。
【００１３】
本発明によれば、巻上機装置が突出位置において下方側部分が本体部よりも高さ方向の下方側に突出するキャスターを有し、巻上機装置がキャスターで移動自在になる。したがって、巻上機装置を移動させるのに台車の持ち運びを一切行う必要がなく、巻上機装置の移動を、より容易、円滑かつ短時間で実行できる。
【００１４】
また、巻上機装置を所定位置に精密に位置決めする芯出しを行う際も、巻上機装置がキャスターで移動自在な状態で実行でき、巻上機装置に過大な力を付与しなくても巻上機装置を所定位置まで容易に移動させることができる。よって、巻上機装置の芯出しもより容易かつ円滑に実行できる。
【００１５】
更には、巻上機装置が所定位置に位置決めされている状態において、キャスター移動機構を用いてキャスターを収納位置に収納できる。よって、巻上機装置の芯出し後、巻上機装置の底面を機械台(マシンビーム)に容易に当接させることができ、巻上機装置を所定位置に安定かつ確実に取り付けできる。
【００１６】
また、本発明において、前記本体部には、前記綱車及び前記電動機を含む巻上機と、前記巻上機が載置され、前記巻上機と機械台との間に配置される巻上機台とが含まれ、前記キャスター収納部は、前記巻上機台に設けられてもよい。
【００１７】
巻上機が巻上機台に締結部材で固定された状態で巻上機装置の移動（搬送）を行うことがある。上記構成によれば、そのような場合に、巻上機の移動を、より容易、円滑かつ短時間で実行でき、芯出しも、容易かつ円滑に実行できる。
【００１８】
また、本発明において、前記本体部は、前記綱車及び前記電動機を含む巻上機で構成され、前記巻上機は、巻上機台を介さず機械台に載置され、前記キャスター収納部は、前記巻上機に設けられてもよい。
【００１９】
巻上機は、巻上機台を介さずに機械台に直接取り付けられることがある。上記構成によれば、そのような場合に、巻上機の移動を、より容易、円滑かつ短時間で実行でき、芯出しも、容易、かつ円滑に実行できる。
【００２０】
また、本発明において、前記キャスター移動機構が、前記キャスターが回動自在に取り付けられるキャスター取付部と、前記キャスター取付部の上端部と一体化された先端部を含んで前記高さ方向に延在するボルト及び前記本体部に固定されて前記ボルトに螺合するナットを含むジャッキボルトと、を有してもよい。
【００２１】
上記構成によれば、キャスター移動機構を簡単安価に構成できる。
【００２２】
また、本発明において、前記キャスターが、球形状を有し、前記キャスターは、キャスター取付部に回動自在に取り付けられ、前記キャスター取付部には、前記キャスターの直径よりも小さい直径を有する円形の開口を有する下側板部と、球面の一部で構成されて前記キャスターの上側球面部にその径方向に対向する対向面を有し、前記下側板部に固定される上側ブロック部と、前記対向面と前記上側球面部との間に配設される複数の玉と、が含まれてもよい。
【００２３】
上記構成によれば、車輪型のキャスターとの比較においてキャスター移動機構を所望の方向により円滑に移動させることができる。
【００２４】
また、本発明に係る巻上機台は、エレベーターにおいて巻上機が載置される巻上機台であって、下方側に開口すると共に高さ方向に延在するキャスター収納部を有する機台本体と、少なくとも前記高さ方向の下方側部分が前記機台本体よりも前記高さ方向の下方側に突出する突出位置と、全ての部分が前記キャスター収納部に収納される収納位置との間を前記高さ方向に移動可能なキャスターと、前記キャスターを前記突出位置と前記収納位置との間を前記高さ方向に移動させるキャスター移動機構と、を備える。
【００２５】
本発明によれば、巻上機を上部の載置面に載置して取り付けた状態で、運搬、芯出しを行うことで、巻上機の移動を、より容易、円滑かつ短時間で実行でき、巻上機の芯出しも、容易かつ円滑に実行できる。
【発明の効果】
【００２６】
本発明に係る巻上機装置及び巻上機台によれば、巻上機の移動を、より容易、円滑かつ短時間で実行でき、巻上機の芯出しも、容易、かつ円滑に実行できる。
【図面の簡単な説明】
【００２７】
【図１】本発明の一実施形態に係る巻上機装置を、綱車配置側とは反対側から見たときの模式正面図である。
【図２】上記巻上機装置を、図１で矢印Ａに示す方向から見たときの模式側面図である。
【図３】図１のＲ部の構造をより詳細に説明するための模式図である。
【図４】図２のＳ部の構造をより詳細に説明するための模式図である。
【図５】上記巻上機装置のキャスター取付部のジャッキボルトを上から見たときの模式平面図である。
【図６】変形例の巻上機装置における図５に対応する模式平面図である。
【発明を実施するための形態】
【００２８】
以下に、本発明に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の説明及び図面で、Ｘ方向は、巻上機装置１（巻上機台３０）の幅方向を表し、Ｙ方向は、巻上機装置１（巻上機台３０）の奥行き方向を表し、Ｚ方向は、巻上機装置１（巻上機台３０）の高さ方向を表す。Ｘ方向、Ｙ方向、及びＺ方向は、互いに直交する。
【００２９】
図１は、本発明の一実施形態に係る巻上機装置１を綱車配置側とは反対側から見たときの模式正面図であり、図２は、巻上機装置１を図１で矢印Ａに示す方向から見たときの模式側面図である。
【００３０】
巻上機装置１は、例えば、エレベーターの昇降路の上方にある機械室の床面や昇降路下方のピットの床面に設けられる機械台上に配置されて固定される。図１に示すように、巻上機装置１は、本体部２と、キャスター３と、キャスター移動機構（以下、単に移動機構という）４を備え、本体部２は、巻上機１０と、巻上機台３０を有する。巻上機１０の底面２１、及び巻上機台３０の上面２２の夫々は、ＸＹ平面上に広がる。巻上機１０の底面が巻上機台３０の上面（載置面）上に載置されている状態で、巻上機１０は、巻上機台３０に図示しないボルトで取り付けられて固定される。
【００３１】
図２に示すように、巻上機１０は、綱車固定台１１と、綱車１２を含み、綱車１２は、回動自在に綱車固定台１１に取り付けられる。詳しくは、綱車１２は、回転軸１３を有し、回転軸１３は、綱車固定台１１の内部で軸受１４を介して綱車固定台１１の静止部１６に固定される。
【００３２】
巻上機１０は、更に電動機１７を備える。電動機１７は、綱車固定台１１内に内蔵される。電動機は、図示しないロータ及びステータを含み、ロータはステータに対して回転する。ロータの出力軸は、綱車１２の回転軸１３と同一直線上に位置し、回転軸１３と一体化されている。綱車１２の複数のロープ溝には、複数のロープ（図示せず）が巻回される。例えば、各ロープの一端部は、図示しないカゴの上部に固定され、各ロープの他端部は、図示しない釣合錘に固定される。
【００３３】
エレベーターの制御部からの信号に基づいてロータの出力軸が回動することで、回転軸１３が回動し、綱車１２が回動する。綱車１２の回動に伴って、ロープが、カゴ側から釣合錘側に移動するか、釣合錘側からカゴ側に移動し、その結果、カゴが昇降する。なお、電動機は、綱車固定台１１の外部に配置されてもよく、電動機の出力軸と綱車の回転軸との間に減速機を配置してもよい。また、ロープの釣合錘側の部分は、釣合錘に固定された綱車に掛け渡された後、昇降路の天井に固定されてもよい。
【００３４】
巻上機台３０は、一体の鋼材からなる機台本体３１を含み、機台本体３１は、巻上機１０が載置される上面２２を有する。図２に示すように、機台本体３１は、断面Ｉ字状の第１Ｉ字状部３２及び断面Ｉ字状の第２Ｉ字状部３３を含み、第１Ｉ字状部３２は、Ｙ方向の一方側に配設されてＸ方向に延在し、第２Ｉ字状部３３は、Ｙ方向の他方側に配設されてＸ方向に延在する。第１Ｉ字状部３２と第２Ｉ字状部３３は、Ｙ方向に延在する１以上の連結部３５,３６で連結されてもよく、この場合、巻上機台３０の取り扱い性を向上できて好ましい。なお、１以上の連結部３５,３６は存在しなくてもよく、機台本体は、一体構造を有さなくてもよい。巻上機台の機台本体は、ＸＹ平面上に広がる上面及び底面を有していれば、如何なる形状、構造であってもよく、例えば、平板状の形状等を有してもよい。
【００３５】
図１及び図２に示すように、巻上機装置１は、４つのキャスター３と、４つの移動機構４とを備える。各移動機構４は、１つのキャスター３をＺ方向に上下動させるために設けられる。キャスター３及び移動機構４を含むキャスターアッセンブリは、巻上機装置１のＺ方向下端部かつＸＹ方向の隅（角部）に配設される。
【００３６】
次に、図３〜図５を用いて、キャスター３及び移動機構４について詳細に説明する。図３は、図１にＲで示す領域をより詳細に示す模式図であり、図４は、図２にＳで示す領域をより詳細に示す模式図である。また、図５は、Ｓで示す領域に配設された移動機構４をＺ方向上方から見たときの模式平面図である。
【００３７】
図３及び図４に示すように、キャスター３は、球形状を有し、例えば鋼材等の金属材料やセラミック等の樹脂材料で構成される。また、移動機構４は、キャスター取付部４１と、ジャッキボルト４２を有する。各移動機構４の外方側は、被覆板５０で覆われる。被覆板５０は、一体構造を有し、Ｚ方向上方から見たときの平面視で略Ｌ字状の形状を有する。
【００３８】
図３に示すように、被覆板５０は、本体部５１と、平板状の第１取付部５２を含む。第１取付部５２は、本体部５１のＸ方向の一方側端部かつＺ方向の下側端部からＹ方向内側に屈曲する。第１Ｉ字形状部３２は、上側延在部３２ａと下側延在部３２ｂを有する。第１取付部５２は、ボルト５５で第１Ｉ字状部３２の下側延在部３２ｂに固定される。
【００３９】
図５に示すように、被覆板５０は、更に、第２取付部５３を有する。第２取付部５３は、本体部５１からＸ方向の一方側に延在する。第２取付部５３は、ボルト５６で摺動板６０に固定され、摺動板６０は、ボルト５８で第２Ｉ字状部３３のＺ方向延在部３８（図２参照）に固定される。第２取付部５３及びボルト５６は、キャスター取付部４１のナット６８よりもＺ方向上方に位置する。ナット６８については、後でより詳細に説明する。被覆板５０は、ボルト５５,５６,５８による機台本体３１への第１及び第２取付部５２,５３の固定によって機台本体３１に確実に固定される。被覆板５０は、巻上機台３０に含まれる。
【００４０】
図３及び図４に示すように、キャスター取付部４１は、ブロック状の部材である。キャスター取付部４１は、半球状の室４５と、Ｚ方向下方側に円形の開口４６を有する。半球状の室４５は、円形の開口４６を介して外部に連通する。半球状の室４５には、キャスター３の上部が収納される。半球状の室４５の直径は、キャスター３の直径及び開口４６の直径の両方よりも大きく、開口４６の直径は、キャスター３の直径よりも僅かに小さい。その結果、キャスター３は、キャスター取付部４１から離脱不可能になっている。キャスター取付部４１は、半球状の凹部を有する上側ブロック部８１と、円形の開口４６を有する平板状の下側板部８２を含み、上側ブロック部８１は、接合手段、例えば接着剤、溶接部、締結部材等により下側板部８２に固定される。
【００４１】
キャスター取付部４１は、更に複数の鋼製の玉４８を有する。複数の玉４８は同一であり、各玉４８はキャスター３の直径よりも小さな直径を有する。各玉４８は、キャスター３の上側球面部８３と、上側ブロック部８１において上側球面部８３に対向する対向面８４との間に配置される。対向面８４は球面の一部で構成される。各玉４８は自在に回転可能であり、その結果、キャスター３が回転自在になっている。
【００４２】
ジャッキボルト４２は、ボルト６７と、ナット６８を有する。ボルト６７は、キャスター取付部４１の上端部と一体化された先端部７２を含む。また、図４及び図５に示すように、ナット６８は、摺動板６０と一体に構成される。摺動板６０は、上述のように第２Ｉ字状部３３に固定されるため、ナット６８は、巻上機台３０と一体に構成され、巻上機台３０に対して静止する。図４に示すように、ナット６８は、ねじ孔７６を有し、そのねじ孔７６は、ボルト６７の軸部に設けられた雄ねじと螺合する。
【００４３】
キャスター取付部４１の上側ブロック部８１は、ボルト９５により被覆板５０に固定される。ボルト９５を外した状態で、ボルト６７の頭部７７を手又は工具等で一方側に回転させると、ボルト６７がナット６８に対してＺ方向上側に移動し、その結果、ボルト６７と一体のキャスター取付部４１もＺ方向上側に移動する。巻上機台３０は、被覆板５０と摺動板６０とで画定されるキャスター収納部８８を有する。キャスター取付部４１は、Ｚ方向上側に移動するにしたがってキャスター収納部８８に徐々に収納される。
【００４４】
他方、ボルト６７の頭部７７を手又は工具等で他方側に回転させると、ボルト６７がナット６８に対してＺ方向下側に移動し、キャスター取付部４１もＺ方向下側に移動する。キャスター３は、その一部が巻上機台３０よりもＺ方向下側に突出する突出位置と、全ての部分が巻上機台３０のＺ方向下端よりもＺ方向上側に位置してキャスター収納部８８に収納される収納位置との間を移動可能になっている。キャスター取付部４１は、上下動する際に、摺動板６０上を摺動し、摺動板６０に案内される。
【００４５】
図４に示す状態では、キャスター３は、その一部が巻上機台３０よりもＺ方向下側に突出する突出位置に位置する。この状態で、ボルト９５で被覆板５０とキャスター取付部４１を固定することで、キャスター３が突出位置に位置している状態を安定的に維持している。また、図示しないが、キャスター３が収納位置に位置している状態においてボルト９５を被覆板５０及びキャスター取付部４１に締め込むことで、キャスター３が収納位置に位置している状態を安定的に維持できる。移動機構４をジャッキボルト４２を用いて構成することで、移動機構４を簡単安価に構成できる。
【００４６】
上記実施形態によれば、巻上機装置１が、突出位置において一部が巻上機台３０よりもＺ方向下方側に突出するキャスター３を有し、巻上機装置１がキャスター３で移動自在になる。したがって、巻上機装置１を移動させるのに台車の持ち運びを一切行う必要がなく、巻上機装置１の移動を、より容易、円滑かつ短時間で実行できる。
【００４７】
また、巻上機装置１を所定位置に精密に位置決めする芯出しを行う際も、巻上機装置１がキャスター３で移動自在な状態で実行でき、巻上機装置１に過大な力を付与しなくても巻上機装置１を所定位置まで容易に移動させることができる。よって、巻上機装置１の芯出しもより容易かつ円滑に実行できる。
【００４８】
また、巻上機装置１が所定位置に位置決めされている状態において、移動機構４を用いてキャスター３を収納位置に収納できる。よって、巻上機装置１の芯出し後、巻上機装置１の底面を機械台に容易に当接させることができ、巻上機装置１を機械台の所定位置に安定かつ確実に取り付けできる。
【００４９】
更には、キャスター３が、球形状を有し、複数の玉４８が、キャスター３の上側球面部８３と、上側ブロック部８１において上側球面部８３に対向する対向面８４との間に配置される。よって、車輪型のキャスターとの比較においてキャスター３を所望の方向により円滑に移動させ易い。
【００５０】
尚、本発明は、上記実施形態およびその変形例に限定されるものではなく、本願の特許請求の範囲に記載された事項およびその均等な範囲において種々の改良や変更が可能である。
【００５１】
例えば、上記実施形態では、巻上機装置１が、巻上機１０と巻上機台３０を含み、巻上機１０が巻上機台３０を介して機械台に固定される場合について説明し、巻上機台３０にキャスター収納部８８を設ける場合について説明した。しかし、巻上機装置が、巻上機台を有さず、巻上機装置の巻上機が、機械台に直接載置されてもよく、巻上機にキャスター収納部を設けてもよい。
【００５２】
また、巻上機装置１が、球状のキャスター３を有する場合について説明した。しかし、巻上機装置は、市販の台車に用いられている車輪型のキャスターを有してもよく、車輪型のキャスターが、その回転軸の方向を自在に変動可能な構成でもよい。
【００５３】
また、突出位置及び収納位置で、キャスター取付部４１をボルト９５で被覆板５０に固定する場合について説明した。しかし、図６、すなわち、変形例の巻上機装置１０１における図５に対応する模式平面図に示すように、キャスター取付部１４１がＸ方向の片側端部に平板状の取付部１８５を有してもよい。そして、その取付部１８５を、ボルト１９５で摺動板１６０に固定することで、突出位置及び収納位置でキャスター取付部１４１を巻上機台１３０に固定してもよい。
【００５４】
また、キャスター収納部８８が、被覆板５０と摺動板６０とで画定される場合について説明した。しかし、巻上機装置は、被覆板を有さなくてもよい。そして、キャスターが、巻上機装置の本体部におけるＺ方向の下方端よりも上方に位置してキャスター収納部に収納されている収納位置において、キャスター移動機構及びキャスターが外部から視認可能であってもよい。また、巻上機装置は、摺動板を有さなくてもよく、キャスター取付部は、Ｚ方向に上下動する際に摺動体で案内されなくてもよい。また、突出位置において、キャスター３の一部が巻上機装置１の本体部２よりもＺ方向下方側に位置する場合について説明した。しかし、突出位置において、キャスターの全てが巻上機装置の本体部よりもＺ方向下方側に位置してもよい。また、キャスター移動機構を、ジャッキボルト４２を用いて構成する場合について説明した。しかし、キャスター移動機構を、電動シリンダを用いて構成してもよく、油圧ジャッキを用いて構成してもよい。
【符号の説明】
【００５５】
１  巻上機装置、  ２  巻上機装置の本体部、  ３  キャスター、  ４  移動機構、  １０  巻上機、  １２  綱車、  １７  電動機、  ３０  巻上機台、  ３１  機台本体、  ４１  キャスター取付部、  ４２  ジャッキボルト、  ４８  玉、  ６７  ボルト、  ６８  ナット、  ８１  上側ブロック部、  ８２  下側板部、  ８３  上側球面部、  ８４  対向面、  ８８  キャスター収納部、  Ｚ方向  高さ方向。
【図１】
2019001563.tif 000003
【図２】
2019001563.tif 000004
【図３】
2019001563.tif 000005
【図４】
2019001563.tif 000006
【図５】
2019001563.tif 000007
【図６】
2019001563.tif 000008